(57)【特許請求の範囲】
【請求項１】
材料のジュースを透過するフィルタ部を周面に有し且つ前記材料の繊維を通過させる所定の大きさの排出孔を前記フィルタ部に設けた遠心分離カゴと、前記排出孔を閉塞するための閉塞部を有すると共に前記遠心分離カゴに回動可能に嵌合された調整リングと、前記閉塞部が前記排出孔を閉塞する閉塞位置で前記調整リングを前記遠心分離カゴに位置決め係止させる第１の位置決め係止手段と、前記排出孔が前記排出孔を開放する開放位置で前記調整リングを前記遠心分離カゴに位置決め係止する第２の位置決め係止手段と、を備えたジューサの遠心分離装置であって、
前記第１の位置決め係止手段は前記調整リングが閉塞位置に位置している状態から前記遠心分離カゴに対して前記遠心分離カゴの回転方向と反対側に更に回動移動するのを阻止する移動阻止部を有すると共に、前記第２の位置決め係止手段による前記遠心分離カゴに対する前記調整リングの位置決めが係止不良になった場合には、前記閉塞部が前記排出孔を閉塞する閉塞位置に前記調整リングが前記遠心分離カゴに対して相対的に回動移動することを特徴とするジューサの遠心分離装置。
【発明の詳細な説明】
【０００１】
【発明の属する技術分野】
本発明は、澄んだジュースと繊維入りのジュースを作ることが可能なジューサの遠心分離装置に関するものである。
【０００２】
【従来の技術】
従来、野菜及び果物等のジュース用の材料（以下、材料という）をジューサにより摺り下ろしてジュースを生成する場合、摺り下ろしたときに発生する液体成分のみを収集して澄んだジュースを生成するほかに、材料の繊維（果肉も含む）を含んだ繊維入りのジュースを生成可能にしたジューサの遠心分離装置が提案されている（特公昭５７−１１２０９号公報参照）。
【０００３】
図１７は上記ジューサの遠心分離装置の要部を示している。
【０００４】
同図において、逆円錐状の遠心分離カゴ１を構成するフィルタ２は、多数の小孔３を有していて、フィルタ２の基部はホルダ４に取り付けられている。このホルダ４は、モータ５により一方向へ回転駆動される駆動体６に着脱自在、且つ、一体的に回転可能に装着されている。
【０００５】
即ち、駆動体６の外周に設けられた複数の菱形の突起７に駆動体６の内周面に形成された係合部８を上方から係合させることにより、遠心分離カゴ１は駆動体６に対して着脱自在に、且つ、駆動体６と相対回転不能に駆動体６に装着されている。上記ホルダ４上に取り付けられたカッタ台９にはカッタ１０がビス止めされている。
【０００６】
上記フィルタ２の下部には、生成されるジューサに繊維が含まれるようにフィルタ２内から繊維を排出するための複数の排出孔１１が形成されている。また、上記カッタ台９の上部外周には、上記排出孔１１と内側で対向している複数の開閉壁１２が一体的に形成されている。
【０００７】
上記カッタ台９の外周には下方に向いている脚部１３が形成されている。また、ホルダ４の内側には図１７（ｂ）に示すように一対の切欠１４（他方は図示せず）が形成されており、この切欠１４に上記脚部１３を選択的に係合させることで排出孔１１を閉塞する開閉壁１２が閉塞位置と開放位置とに位置決め保持されている。
【０００８】
上記脚部１３を図示しない他方の切欠１４に挿入した場合には、開閉壁１２はフィルタ２の隣設する排出孔１１間に位置するようになっていて、フィルタ２の排出孔１１は開放される状態となる。このように、切欠１４及び脚部１３により開閉壁１２を閉塞位置と開放位置とに切り換える位置決め機構が構成されている。また、図示しない本体上に装着されているカバー１７には、材料１８が投入される投入筒１９が一体的に設けられている。
【０００９】
遠心分離カゴ１が回転させられている状態で、材料投入筒１７内に投入されている材料１８を押し棒により押し込むと、材料１８はカッタ１０により摺り下ろされて摺り下ろし物となる。この摺り下ろし物が回転する遠心分離カゴ１の遠心力によりフィルタ２を滑り上がることにより、液体成分としてのジュースは小孔３を通過して図示しないジュース受けに排出される。また、小孔３を通過しないカスは遠心分離カゴ１の上部から図示しないカス受け皿に収納される。
【００１０】
ここで、カッタ台９の開閉壁１２が、排出孔１１に対向するように脚部１３の位置が設定されているときには、摺り下ろし物に含まれている繊維が排出孔１１から排出されないので、澄んだジュースが得られる。そして、開閉壁１２が排出孔１１を開放するように脚部１３の位置が設定されているときには、排出孔１１から繊維が排出されることにより繊維入りのジュースが得られる。
【００１１】
このように、カッタ台９の脚部１３を複数の切欠１４の一つに選択的に設定することで、通常のジューサとして求められる機能である澄んだジュースの作成ばかりでなく繊維入りのジュースの作成という付加価値が得られるようになっている。
【００１２】
【発明が解決しようとする課題】
しかしながら、上述した従来装置においては、ホルダ４及び矢印１５方向に回転するホルダ４の回転駆動力の伝達は、切欠１４と脚部１３とによって行われている。
【００１３】
このため、開閉壁１２の位置の選択的な切り換えの反復等により、脚部１３及び切欠１４の角部が摩耗して開閉壁１２の閉塞位置への設定が確実に行われなくなることも考えられる。即ち、位置決め機構の摩耗により開閉壁１２が排出孔１１を確実に閉塞できないときには、ジュースの生成時に排出孔１１から繊維が排出されることとなって、ジューサとして求められている澄んだジュースの作成という機能が得られないという問題がある。
【００１４】
また、ホルダ４及びカッタ台９は合成樹脂を材料として型整形されることが多く、壁部１３ａと段部１４ａとの摩耗は比較的に早く生じる恐れがあるため、澄んだジュースを得にくくなる問題がある。
【００１５】
本発明は、澄んだジュースと繊維入りのジュースとを選択的に生成するために、遠心分離カゴに位置決め係止される調整リングが係止不良になった場合であっても、澄んだジュースを生成可能にしたジューサの遠心分離装置を提供することを目的とする。
【００１６】
【課題を解決するための手段】
本発明は、上述事情に鑑みてなされたものであって、本発明に係わるジューサの遠心分離装置は、材料のジュースを透過するフィルタ部を周面に有し且つ前記材料の繊維を通過させる所定の大きさの排出孔を前記フィルタ部に設けた遠心分離カゴと、前記排出孔を閉塞するための閉塞部を有すると共に前記遠心分離カゴに回動可能に嵌合された調整リングと、前記閉塞部が前記排出孔を閉塞する閉塞位置で前記調整リングを前記遠心分離カゴに位置決め係止させる第１の位置決め係止手段と、前記排出孔が前記排出孔を開放する開放位置で前記調整リングを前記遠心分離カゴに位置決め係止する第２の位置決め係止手段と、を備えている。
【００１７】
そして  前記第１の位置決め係止手段は前記調整リングが閉塞位置に位置している状態から前記遠心分離カゴに対して前記遠心分離カゴの回転方向と反対側に更に回動移動するのを阻止する移動阻止部を有すると共に、前記第２の位置決め係止手段による前記調整リングの前記遠心分離カゴに対する位置決めが係止不良になった場合には、前記閉塞部が前記排出孔を閉塞する閉塞位置に前記調整リングが前記遠心分離カゴに対して相対的に回動移動することを特徴としている。
【００１８】
従って、調整リングが第１の位置決め係止手段により遠心分離カゴに位置決め係止されている場合には、遠心分離カゴの排出孔は調整リングの閉塞部により閉塞されていて、摺り下ろし物からは澄んだジュースが得られる。また、調整リングが第２の位置決め係止手段により遠心分離カゴに位置決め係止されている場合には、閉塞部が遠心分離カゴの排出孔を開放するので、摺り下ろし物からは排出孔から排出された繊維を含んだ繊維入りのジュースが得られる。
【００１９】
そして、調整リングを開放位置に位置決め係止している第２の位置決め係止手段が係止不良になった場合には、遠心分離カゴの回転時において調整リングが遠心分離カゴと一体回転できないために、調整リングは遠心分離カゴに対して遠心分離カゴに対して遠心分離カゴの回転方向と反対側に相対的に回動移動する。
【００２０】
すなわち、調整リングは開放位置から閉塞位置に回動移動されて第１の位置決め係止手段により遠心分離カゴに係止されると共に、この係止状態からの更なる回動移動は移動阻止部により阻止されている。
【００２１】
この結果、調整リングの閉塞部により遠心分離カゴの排出孔が確実に閉塞されることになって、調整リングの位置決め係止手段が不良になった場合あっても、澄んだジュースを確実に得ることができる。
【００２２】
【発明の実施の形態】
以下、本発明の実施の形態を図面に基づいて説明する。
【００２３】
図１及び図２において、本発明に係わる遠心分離装置が組み込まれたジューサ２０は、駆動源としての電動モータ２１が内蔵された本体２２を備えている。この本体２２には、上端が開放されている筒状のジュース受け部２３を内側に形成し、このジュース受け部２３の外側にかすケース２４を形成した分離ケース２５が着脱自在に装着されている。
【００２４】
上記ジュース受け部２３内には、ジュース用の材料Ｍ（図２参照）を摺り下ろしてジュース３３とカス３３ａとに分離するための遠心分離装置２６が着脱可能に配置されている。この遠心分離装置２６の上方には、上記分離ケース２５を覆うと共に本体２２に着脱自在の蓋２７が取り付けられている。
【００２５】
上記蓋２７には、材料Ｍを遠心分離装置２６内に投入するための投入筒２８が一体的に形成されている。この投入筒２８には、キャップ２９を上部に有していて材料Ｍを投入筒２８の下方に押し込むための押し棒であるピストン３０が挿脱自在に挿入されている。
【００２６】
本体２２の下部に設けられた載置台３１上には、ジュース受け部２３に形成された流出口３２からのジュース３３を受けるジュースケース３４が載置されている。このジュースケース３４にはジュースケース蓋３５が取り外し可能に装着されている。ジュースケース蓋３５には、開口３６が形成されており、上記流出口３２からのジュース３３は上記開口３６を介してジュースケース３４内に溜まるようになっている。
【００２７】
図１に示す上記電動モータ２１の出力軸３７には、カップリング３８が固定されている。遠心分離装置２６は、カップリング３８と後述するカップリング５４（図７参照）との結合により、遠心分離装置２６を上方から見て反時計方向（図４において矢印Ａ方向）に回転するようになっている。
【００２８】
図３に示すように遠心分離装置２６は、下端から上方に向けて径を漸増している逆円錐状の遠心分離カゴ３９と、この遠心分離カゴ３９の下部の外側に回転可能に嵌合されている環状で合成樹脂製の調整リング４０と、この調整リング４０を遠心分離カゴ３９の下部に保持する環状のホルダ４１とを備えている。
【００２９】
上記遠心分離カゴ３９は、樹脂製の環状保持枠４２と、この環状保持枠４２に下部が保持されていると共に上方に位置するほど径が大きくなっている筒状のフィルタ部材４３と、このフィルタ部材４３の上縁部を保持する合成樹脂製の環状補強枠４４とを備えている。
【００３０】
上記フィルタ部材４３は複数のフィルタ部４６を有しており、このフィルタ部４６には液体成分（澄んだジュース）のみが透過する多数の小孔４５が形成されている。上記複数のフィルタ部４６は、フィルタ部材４３の円周方向に沿って配置されている。
【００３１】
また、フィルタ部材４３の下部である環状保持枠４２の近傍には、フィルタ部４６を除く領域に、小孔４５よりも大きい第１の排出孔４７ａと、この第１の排出孔４７ａよりも小さく且つ小孔４５よりも大きい第２の排出孔４７ｂとがそれぞれ対をなして対向する位置に形成されている。
【００３２】
各排出孔４７ａ，４７ｂは、図４に示すように配置されている。すなわち、一対のフィルタ部材４３の接合部４８を結ぶ直線４９と直交する直線５０上に第１の排出孔４７ａが対向して配置されている。両第１の排出孔４７ａの両側であって４５°の角度をなす位置にそれぞれ一対の第２の排出孔４７ｂが対向して配置されている。また、環状保持枠４２上には遠心分離カゴ３９の内側に配置されたカッタ４２ａが固定されている。
【００３３】
図５は遠心分離カゴ３９の底面図を示している。同図において、環状保持枠４２の外周面には、直線４９上の位置に一対の突起部５１がそれぞれ形成されている。各突起部５１は図３に示すように上下方向に延びて形成されている。この突起部５１は、後述する位置決め機構の構成要素として機能している。
【００３４】
図３及び図６において、調整リング４０の上面には、遠心分離カゴ３９の各排出孔４７ａ，４７ｂを開閉するための閉塞部となる第１の閉塞部としての突起５２ａ，第２の閉塞部としての突起５２ｂ，第３の閉塞部としての突起５２ｃがそれぞれ突設されている。この突起５２ａ，５２ｂ，５２ｃは、図６に示すようにそれぞれ配置されている。
【００３５】
一対の突起５２ａは一対の第１の排出孔４７ａを開閉するものであり、２組の一対の突起５２ｂは２組の一対の第２の排出孔４７ｂをそれぞれ開閉するものである。また、突起５２ａに隣設した下流側位置に一対の突起５２ｃが設けられている。
【００３６】
上記突起５２ｃは、第１の排出孔４７ａを開閉するものであって、突起５２ａ及び突起５２ｂが対応する第１の排出孔４７ａ及び第２の排出孔４７ｂをそれぞれ開放した状態のもとで第１の排出孔４７ａを閉塞可能になっている。この状態では、遠心分離カゴ３９は第２の排出孔４７ｂのみが開放状態にある。
【００３７】
そして、突起５２ｃが第１の排出孔４７ａの上流側に設定されて第１の排出孔４７ａを開放した状態では、遠心分離カゴ３９は両第１の排出孔４７ａ，４７ｂが開放された状態になる。
【００３８】
また、各突起５２ａ，５２ｂ，５２ｃには、ジュース３３及び図示しない繊維との衝突によるジュース３３及び繊維の飛散を緩和するために円周方向の両エッジに面取り（Ｒ）が形成されている。
【００３９】
図７及び図１２に示すように、調整リング４０は環状保持枠４２の外周面に回動自在に嵌合されている。ホルダ４１及びカッタ４２ａは図７に示すようにかしめピン５３により遠心分離カゴ３９の環状保持枠４２にそれぞれ固定されている。
【００４０】
このホルダ４１により調整リング４０は環状保持枠４２から外れないように回動自在に保持されている。この調整リング４０を選択的に回動させることにより、各突起５２ａ，５２ｂ，５２ｃによる各排出孔４７ａ，４７ｂの開閉が後述するようにして行われる。ホルダ４１の下面には、電動モータ２１のカップリング３８（図１参照）に着脱可能に結合される前述したカップリング５４が形成されている。
【００４１】
また、遠心分離装置２６には、遠心分離カゴ３９に対する調整リング４０の回動位置を位置決めするための位置決め機構５５が設けられている。この位置決め機構５５は、図７及び図９に示すように環状保持枠４２の突起部５１と、調整リング４０の内側に形成された係止片５６とを備えている。
【００４２】
図６において、係止片５６は調整リング４０の円周方向に沿って設けられた一対の凹所５７とこの凹所５７の下流側から調整リング４０の内周面側に開口された凹部６０とにより形成されている。上記凹所５７は、調整リング４０の上下方向（肉厚方向）に貫通して形成されている。
【００４３】
この係止片５６は、上流側の基部５６ａから円弧状になって延びているので、係止片５６の支点である基部５６ａは調整リング４０を支持している遠心分離カゴ３９の進行方向（矢印Ａ方向）側にある。そして、係止片５６は基部５６ａを支点として径方向側に弾性変形可能な片持ちバネとして機能するようになっている。
【００４４】
係止片５６には、調整リング４０側に向く第１の位置決め係止手段としての第１の凹部５８と第２の位置決め係止手段としての第２の凹部５９とがそれぞれ形成されている。第２の凹部５９は、第１の凹部５８に対して遠心分離カゴ３９の回転方向の後方側に配置されている。
【００４５】
上記第１及び第２の凹部５８，５９の形成により係止片５６には第１の凸部６１及び第２の凸部６２がそれぞれ形成されている。上記第１の凸部６１の高さＨ１は第２の凸部６２の高さＨ２よりも小さくなっている。
【００４６】
上記第２の凸部６２と凹所５７の一端部の側壁５７ａにより形成される前述した凹部６０の幅は、環状保持枠４２の突起部５１が係脱可能となるような大きさに設定されている。この凹部６０は、上記第１及び第２の凹部５８，５９と同様に環状保持枠４２を位置決めする機能を有するので、第２の位置決め係止手段としての第３の凹部６０と称することにする。
【００４７】
上記第２の凹部５９と第３の凹部６０とは、第１の凹部５８に対して上記遠心分離カゴ３９の矢印Ａで示す回転方向の後方側に配置されている。
【００４８】
上記調整リング４０の第１〜第３の凹部５８，５９，６０には、前述した突起部５１が係合することで、遠心分離カゴ３９に対する調整リング４０の設定位置が位置決め保持される。
【００４９】
第１の凹部５８が突起部５１に係合しているときには、調整リング４０は閉塞位置にあって、調整リング４０の閉塞部５２が後述するようにして遠心分離カゴ３９の排出孔４７を閉塞するようになっている。
【００５０】
また、第２の凹部５８又は第２の凹部５９が突起部５１に係合しているときには、調整リング４０は閉塞位置にあって、調整リング４０の閉塞部５２が後述するようにして遠心分離カゴ３９の第１の排出孔４７ａ又は両排出孔４７ａ，４７ｂを閉塞するようになっている。
【００５１】
図６及び図９に示すように、第１の凹部５８の前端側（遠心分離カゴ３９の回転方向（矢印Ａ方向）における前端側には、段部からなる移動阻止部５８ａが形成されている。
【００５２】
移動阻止部５８ａは、調整リング４０が開放位置から閉塞位置へ回動移動されるとき、すなわち遠心分離カゴ３９の回転方向と反対側に回動移動されるときに、第１の凹部５８に係止した突起部５１が更に反対側に移動するのを阻止するためのものである。
【００５３】
ユーザの手操作により、係止片５６が調整リング４０に対して回動されるとき、例えば、係止片５６の第１の凹部５８に係合している突起部５１が、第２の凹部５９及び第３の凹部６０に係合するように調整リング４０を順次回動させるときの係止片５６の動作を図１５及び図１６に示す。
【００５４】
遠心分離装置２６の各位置への切り換え操作においては、環状保持枠４２の突起部５１が図１５に示すように係止片５６のバネ力に打ち克って第１の凸部６１を乗り越えていく。係止片５６の弾性変形により突起部５１が第１の凸部６１を乗りこえる際、突起部５１が第２の凸部６２を乗りこえるときよりも大きな力が必要となる。
【００５５】
しかし、前述したように第１の凸部６１の高さＨ１は、第２の凸部６２の高さＨ２よりも小さく設定されているので、調整リング４０の回動操作力はその回動位置に拘わらず略一定となっている。このため、同一の操作感で調整リング４０を回動操作することができる。
【００５６】
突起部５１と係止片５６の各凹部５８，５９，６０との係合により、遠心分離カゴ３９と調整リング４０とが一体的に回転可能になっている。
【００５７】
図８は調整リング４０の底面図、図１０，図１１は環状保持枠４２に装着されている調整リング４０の底面図をそれぞれ示してる。
【００５８】
調整リング４０を回動操作して調整リング４０の係止片５６を位置設定する際、図９及び図１０に示すように環状保持枠４２の突起部５１が係止片５６の第１の凹部５８に係合しているときには、調整リング４０の突起５２ａ，５２ｂ，５２ｃは図１２に示すように位置している。すなわち、図３に示す第１の排出孔４７ａは突起５２ａにより閉塞され、且つ、第２の排出孔４７ｂは突起５２ｂにより閉塞されている。
【００５９】
また、図９における突起部５１が係止片５６の第２の凹部５９に係合されるように調整リング４０が回動操作されたときには、図１３に示すように突起５２ａは第１の排出孔４７ａを開放し、突起５２ｂが第２の排出孔４７ｂを開放すると共に、第１の排出孔４７ａは突起５２ｃにより閉塞される。すなわち、第２の排出孔４７ｂのみが開放された状態となっている。
【００６０】
そして、図９に示すように突起部５１が第３の凹部６０に係合されると、図１４に示すように排出孔４７が開放された状態で更に第１の排出孔４７ａが開放される状態となる。
【００６１】
次に、上記のように構成されたジューサ２０の動作について説明する。
【００６２】
図１、図２において、本体２２に装着された分離ケース２５内に遠心分離カゴ３９を配置する前に、所望とするジュース成分を得るために調整リング４０が前記したように所望の位置に選択設定される。
【００６３】
その後、遠心分離カゴ３９のカップリング５４と電動モータ２１のカップリング３８とが結合されるようにして遠心分離カゴ３９が分離ケース２５内にセットされる。そして、図１に示すように分離ケース２５に蓋２７が取り付けられると共に、ジュースケース３４が載置台３１上に載置される。
【００６４】
電動モータ２１の回転駆動により、遠心分離装置１５が図４において矢印Ａで示す一方向に回転されると、野菜や果物等の材料Ｍが投入筒２８内に挿入されピストン３０によりカッタ４２ａに押し付けられる。材料Ｍはカッタ４２ａの高速回転により粉砕されて摺り下ろされる。
【００６５】
摺り下ろされた材料は、遠心分離カゴ３９の高速回転による遠心力により、遠心分離カゴ３９のフィルタ部材４３の傾斜面に沿って上端側へ向けて移動する。
【００６６】
摺り下ろされた材料の上記移動過程で、液体成分は遠心力によりフィルタ部４６の小孔４５を透過してジュース受け部２３内に放出され、さらに流出口３２からジュースケース３４内に集められる。
【００６７】
例えば、図１２に示すように調整リング４０の突起５２ａ及び突起５２ｂが第１の排出孔４７ａ及び第２の排出孔４７ｂをそれぞれ閉塞している場合には、摺り下ろし物の繊維のような固形成分は、小孔４５を透過することなく遠心力により遠心分離カゴ３９上端部から放出される。放出されたカス３３ａはかすケース２４内に収納されると共にジュースケース３４には澄んだジュース３３が得られる。
【００６８】
また、調整リング４０が図１３に示すように、第１の排出孔４７ａを閉塞し第２の排出孔４７ｂが開放されるように設定された場合には、第２の排出孔４７ｂから放出される小さい繊維を含んだジュース３３がジュースケース３４内に集められる。
【００６９】
また、調整リング４０が図１４に示すように第１の排出孔４７ａ及び第２の排出孔４７ｂの両方を開放するように設定された場合には、第１の排出孔４７ａから放出される大きい繊維と第２の排出孔４７ｂから放出される小さい繊維とを含んだジュース３３がジュースケース３４内に集められる。
【００７０】
このように、遠心分離カゴ３９に対する調整リング４０の各突起５２ａ，５２ｂ，５２ｃの位置を選択設定することによって、澄んだジュース、小さい繊維を含んだジュース、及び大きい繊維を含んだジュース等を所望に応じて得ることができる。
【００７１】
このようなジューサ２０を長期にわたって使用し調整リング４０の位置設定が反復された場合には、位置決め機構５５を構成する調整リング４０の第１の凸部６１及び第２の凸部６２や環状保持枠４２の突起部５１が摩耗して位置決め機構５５の位置決め性能が不確実になることがある。また、合成樹脂製の係止片５６の弾性が劣化していくことも加わって、位置決め機構５５の性能が不確実になることがある。
【００７２】
位置決め機構５５の性能が適正である場合には、図９において環状保持枠４２の突起部５１が第２の凹部５９又は第３の凹部６０に係合しているときに、調整リング４０は環状保持枠４２の回転駆動により矢印Ａ方向に一体的に回転していって小さい繊維を含んだジュース又は大きい繊維を含んだジュースが得られる。
【００７３】
ここで、位置決め機構５５の位置決め性能が低下した状態で調整リング４０を設定すると、遠心分離カゴ３９の高速回転時に遠心分離カゴ３９に対する調整リング４０の位置がヅレていって所望のジュース３３が得られないことになる。例えば、澄んだジュースを得ようとしても繊維入りのジュースになってしまうおそれがある。
【００７４】
位置決め機構５５が上述したように性能不良になった場合には、第２の凹部５９又は第３の凹部６０に係合している突起部５１を係止片５６が保持できないので、環状保持枠４２の矢印Ａ方向への高速回転により突起部５１は図示の第１の凹部５８に係合する位置に移動する。
【００７５】
すなわち、調整リング４０は環状保持枠４２と一体的には回転しないで環状保持枠４２に対し一時的に矢印Ａと反対方向に相対的に逆転して、突起部５１が第１の凹部５８に係合した位置で環状保持枠４２と一体的に回転していく。
【００７６】
これにより、位置決め機構５５の位置決め性能が低下してしまったときには、繊維入りのジュースは得難いが、一般に求められている通常の澄んだジュースを確実に得ることができる。
【００７７】
本実施の形態では、遠心分離カゴ３９の環状保持枠４２に突起部５１を形成し、環状保持枠４２に嵌合する調整リング４０に係止片５６を形成したが、逆に突起部５１を調整リング４０側に形成し係止片５６を環状保持枠４２に形成してもよい。この場合、調整リング４０側に設けられた係止片５６は、その支点である基部５６ａは環状保持枠４２の進行方向と反対側に位置するように設定する必要がある。
【００７８】
更に、突起部５１の代わりに凹部（図示せず）を環状保持枠４２側に設け、この凹部に係止片５６の第１の凸部６１及び第２の凸部６２を係合させて調整リング４０を位置決めするようにしてもよい。
【００７９】
また、遠心分離カゴ３９の第１及び第２の排出孔４７ａ，４７ｂ及びこの第１及び第２の排出孔４７ａ，４７ｂを閉塞する調整リング４０の各突起５２ａ，５２ｂ，５２ｃの個数及び配置位置は、必要に応じて適宜選択することができる。
【００８０】
上述したように、本実施の形態によれば、調整リング４０を開放位置に位置決め係止している係止片５６が遠心分離カゴ３９に対して係止不良になった場合、遠心分離カゴの回転時において調整リング４０が遠心分離カゴ３９と一体回転できないために、調整リング４０は遠心分離カゴ３９に対して遠心分離カゴ３９の回転方向（矢印Ａ方向）と反対側に相対的に回動移動する。
【００８１】
すなわち、調整リング４０が開放位置から閉塞位置に回動移動して第１の凹部５８が遠心分離カゴ３９の突起部５１に係止すると共に、この係止状態からのさらなる回動は移動阻止部５８ａにより阻止されるので、調整リング４０の閉塞部５２による遠心分離カゴ３９の両排出孔４７ａ，４７ｂの閉塞が確実に行われ、調整リング４０の係止片５６が遠心分離カゴ３９に対して係止不良になった場合あっても、澄んだジュースを確実に得ることができる。
【００８２】
【発明の効果】
以上説明したように、本発明によれば、遠心分離カゴの排出孔を開閉する調整リングを遠心分離カゴに位置決め係止する第２の位置決め係止手段が係止不良になったときに、調整リングを遠心分離カゴに対して遠心分離カゴの回転方向と反対側に回動移動させて第１の位置決め係止手段による遠心分離カゴへの位置決め係止をすると共に、移動阻止部により調整リングの更なる反対側への回動移動を阻止したので、第２の位置決め係止手段による調整リングの位置決め係止が不良となった場合でも、澄んだジュースを確実に得ることができるジューサの遠心分離装置を実現することができる。
【図面の簡単な説明】
【図１】 本発明に係わる遠心分離装置を備えるジューサの一部を破断した正面図である。
【図２】図１のジューサの分解斜視図である。
【図３】図１のジューサの遠心分離カゴの分解正面図である。
【図４】遠心分離カゴの平面図である。
【図５】遠心分離カゴの底面図である。
【図６】調整リングの平面図である。
【図７】遠心分離カゴｂの縦断正面図である。
【図８】調整リングの底面図である。
【図９】位置決め機構部の拡大底面図である。
【図１０】調整リングが第１及び第２の排出孔４７ａ，４７ｂを閉塞する回動位置にある状態を示す遠心分離カゴの底面図である。
【図１１】調整リングが第１及び第２の排出孔４７ａ，４７ｂを開放する回動位置に有る状態を示す遠心分離カゴの底面図である。
【図１２】調整リングが第１及び第２の排出孔４７ａ，４７ｂを閉塞する回動位置にある状態を示す遠心分離カゴの正面図である。
【図１３】調整リングが第１の排出孔４７ａを閉塞すると共に第２の排出孔４７ｂを開放する回動位置に有る状態を示す遠心分離カゴの正面図である。
【図１４】調整リングが第１及び第２の排出孔４７ａ，４７ｂを開放する状態を示す遠心分離カゴの正面図である。
【図１５】調整リングが図１２の回動位置から図１３の回動位置に移るときの位置決め機構の作用を示す底面図である。
【図１６】調整リングが図１３の回動位置から図１４の回動位置に移るときの位置決め機構の作用を示す底面図である。
【図１７】従来のジューサにおける遠心分離カゴの一部を示す縦断正面図である。
【符号の説明】
Ｍ          ジュース用の材料
２０        ジューサ
３３        ジュース
３９        遠心分離カゴ
４０        調整リング
４２ａ      カッタ
４６        フィルタ部
４７ａ      第１の排出孔（排出孔）
４７ｂ      第２の排出孔（排出孔）
５２ａ      突起（第１の閉塞部）
５２ｂ      突起（第２の閉塞部）
５２ｃ      突起（第３の閉塞部）
５５        位置決め機構
５６        係止片
５８        第１の凹部（第１の位置決め係止手段）
５９        第２の凹部（第２の位置決め係止手段）
６０        第３の凹部（第２の位置決め係止手段）
【図１】
0003914070.tif 000002
【図２】
0003914070.tif 000003
【図３】
0003914070.tif 000004
【図４】
0003914070.tif 000005
【図５】
0003914070.tif 000006
【図６】
0003914070.tif 000007
【図７】
0003914070.tif 000008
【図８】
0003914070.tif 000009
【図９】
0003914070.tif 000010
【図１０】
0003914070.tif 000011
【図１１】
0003914070.tif 000012
【図１２】
0003914070.tif 000013
【図１３】
0003914070.tif 000014
【図１４】
0003914070.tif 000015
【図１５】
0003914070.tif 000016
【図１６】
0003914070.tif 000017
【図１７】
0003914070.tif 000018